(57)【要約】 【課題】    防火、防水両方の性能を兼備した防災措置構造の提供。【解決手段】  防災措置構造は、仕切り壁２の両側に、長尺体１による貫通部分を除き開口部３を覆うように設置される防水板５Ａ、５Ｃと、防水板５Ａ、５Ｃと仕切り壁２の外表面との境界部、および防水板５Ａ、５Ｃと長尺体外表面との境界部を被覆する防水用塗布シーリング材７と、防水板５Ａ、５Ｃと防水用塗布シーリング材７と共に、仕切り壁２の開口部３を覆うように、長尺体１の内部に充填する防水用流し込み用シーリング材６と、防水板５Ａ、５Ｃとの間に、長尺体１の貫通する部分を除き、開口部３を覆うように設置される防火板８Ａ、８Ｂと、防火板８Ａ、８Ｂとで開口部３を閉塞するように、長尺体１の内部に充填する防火材９とを備える。【選択図】図１
2016069858.tif 000002
【特許請求の範囲】
【請求項１】
建築物の仕切り壁に形成された開口部に長尺体が貫通する防災措置構造において、
前記仕切り壁の両側に、前記長尺体による貫通部分を除き前記開口部を覆うように設置される第１および第２の防水板と、
前記第１および第２の防水板と前記仕切り壁の外表面との境界部、および前記防水板と前記長尺体外表面との境界部を被覆する第１のシーリング材と、
前記第１および第２の防水板と前記第１のシーリング材と共に、前記仕切り壁の前記開口部を覆うように、前記長尺体の内部に充填する第２のシーリング材と、
前記第１および第２の防水板との間に、前記長尺体の貫通する部分を除き、前記開口部を覆うように設置される防火板と、
前記防火板とで前記開口部を閉塞するように、前記長尺体内部に充填する防火材とを備えたことを特徴とする防災措置構造。
【請求項２】
前記防火板は、前記仕切り壁の両側壁面近傍に設置されることを特徴とする請求項１に記載の防災措置構造。
【請求項３】
前記第２の防水板と平行で、前記開口部を覆うように設置された第３の防水板を備え、前記第２の防水板と前記第３の防水板との間に前記第２のシーリング材を充填するようにしたことを特徴とする請求項１または請求項２のいずれかに記載の防災措置構造。
【請求項４】
前記第２の防水板と平行で、前記開口部の一方より突出した位置に設置された第３の防水板を備え、前記第２の防水板と前記第３の防水板との間に前記第２のシーリング材を充填するようにしたことを特徴とする請求項１または請求項２のいずれかに記載の防災措置構造。
【発明の詳細な説明】
【技術分野】
【０００１】
本発明の実施形態は、建築物の防災措置構造に関する。
【背景技術】
【０００２】
建築物の内部に、ケーブル、ケーブルトレイ、電線管、ダクト、配管等の長尺体を引き込む際、建築物の仕切り壁に設けた貫通部を介する構造とすることが一般に行われている。このような構造では、仕切り壁で区切られた一方の区域で火災が発生した場合、貫通部の開口を通じて隣接した他方の区域へ火災延焼や煙の拡散が波及することが問題となる。
【０００３】
このような火災を想定した対策として、貫通部の防火構造を有するものがある。防火構造としては、例えば、長尺体が仕切り壁を貫通する開口部を防火板又は防火シートで覆うとともに、それらと長尺体との間に生じる隙間を防火充填剤によって閉止するものがある。
【０００４】
また、上記の貫通部を備える場合、津波や高潮、洪水等による建築物内への浸水も考えられる。昨今、財産保護の観点または安全機能を有する設備等の保護の観点により、長尺体壁貫通部からの浸水による設備破損を防ぐ、長尺体壁貫通部の止水構造も検討されてきている。例えば、長尺体を貫通させる仕切り壁の開口部の端部にシーリング材を塗布して閉塞させるもの等がある。
【先行技術文献】
【特許文献】
【０００５】
【特許文献１】特開２００５−３２０７２４
【特許文献２】特開２００７−３１５００７
【特許文献３】特開２０００−２７０４５５
【発明の概要】
【発明が解決しようとする課題】
【０００６】
例えば、地震を起因とした津波や設備損傷による浸水および建築物内での火災が連続的に発生するような災害が重畳する状況では、防水性と防火性を兼備し、機能を維持できる長尺体貫通部構造が求められる。
【０００７】
しかしながら、上記で説明した背景技術は、何れも火災または浸水の一方しか考慮されておらず、火災、浸水が併発した場合には、防火構造は防水性能を持たないため浸水を防ぐことができず、同様に防水構造は防火性能を持たないため火災の波及を防ぐことができない。また、焼損により防水性能も損なわれることが考えられる。その結果、隣接区域への火災、浸水の波及によって保護すべき設備等の破損を招くことになる。
【０００８】
そこで本発明は、防火、防水両方の性能を兼備した防災措置構造を提供することを目的とする。
【課題を解決するための手段】
【０００９】
本発明の実施形態の、建築物の仕切り壁に形成された開口部に長尺体が貫通する防災措置構造は、前記仕切り壁の両側に、前記長尺体による貫通部分を除き前記開口部を覆うように設置される第１および第２の防水板と、前記第１および第２の防水板と前記仕切り壁の外表面との境界部、および前記防水板と前記長尺体外表面との境界部を被覆する第１のシーリング材と、前記第１および第２の防水板と前記第１のシーリング材と共に、前記仕切り壁の前記開口部を覆うように、前記長尺体の内部に充填する第２のシーリング材と、前記第１および第２の防水板との間に、前記長尺体の貫通する部分を除き、前記開口部を覆うように設置される防火板と、前記防火板とで前記開口部を閉塞するように、前記長尺体内部に充填する防火材とを備えたことを特徴とする。
【発明の効果】
【００１０】
本発明の実施形態によれば、防火、防水両方の性能を兼備した防災措置構造が提供できる。
【図面の簡単な説明】
【００１１】
【図１】第１の実施形態に係る防災措置構造の概略図であって、（ａ）は建築物の仕切り壁に形成された開口部を貫通する長尺体を備える際の構造を示す断面図であり、（ｂ）は、区域Ａ側の矢印Ａ方向から見た図。
【図２】第２の実施形態に係る防災措置構造の概略図であって、（ａ）は建築物の仕切り壁に形成された開口部を貫通する長尺体を備える際の構造を示す断面図であり、（ｂ）は、区域Ｂ側の矢印Ｂ方向から見た図。
【発明を実施するための形態】
【００１２】
以下、図面を参照して本発明の実施形態に係る防災措置構造について説明する。
【００１３】
＜第一の実施形態＞
図１は、第１の実施形態に係る防災措置構造の概略図であって、（ａ）は、建築物の仕切り壁に形成された開口部を貫通する長尺体を備える際の構造を示す断面図であり、（ｂ）は、区域Ａ側の矢印Ａ方向を見た図である。なお、ここでは区域Ａ側を建築物の外側、即ち、浸水の方向側と想定している。
【００１４】
建築物の仕切り壁２に形成された開口部３に長尺体１が貫通する防災措置構造において、仕切り壁２の両側に、長尺体１による貫通部分を除き開口部３を覆うように設置される防水板５Ａ、５Ｃと、防水板５Ａ、５Ｃと仕切り壁２の外表面との境界部、および防水板５Ａ、５Ｃと長尺体外表面との境界部を被覆する防水用塗布シーリング材７と、防水板５Ａ、５Ｃと防水用塗布シーリング材７と共に、仕切り壁２の開口部３を覆うように、長尺体１の内部に充填する防水用流し込み用シーリング材６と、防水板５Ａ、５Ｃとの間に、長尺体１の貫通する部分を除き、開口部３を覆うように設置される防火板８Ａ、８Ｂと、防火板８Ａ、８Ｂとで開口部３を閉塞するように、長尺体１の内部に充填する防火材９とを備える。
【００１５】
次に各構成について詳細に説明する。
【００１６】
建築物の仕切り壁２は、建築物の内外を仕切るものであり、例えばコンクリートなどで構成されている。仕切り壁２の一部には、ほぼ円柱に貫通された開口部３を有している。なお、ここでは開口部３はほぼ円柱としたが、開口していれば良く、形状を特に限定するものではない。
【００１７】
長尺体１は、筒状で内部にケーブル４を備えており、開口部３を貫通し、建築物の外部と内部とが通じている。なお、ここでは、長尺体１の内部にはケーブル４を備えることにしたが、例えばケーブルトレイ、電線管、ダクト、配管等、建築物の内外を通ずる、固定的に配置する比較的小型の有形物であれば特に制限はない。
【００１８】
防水板５Ａ、５Ｃは、開口部３の径より大きい外径を有した円形版であり、耐水性の（液体を通さない）素材で構成される。防水板５Ａ、５Ｃの中心部は、長尺体１の径とほぼ同じ径で開口されている。防水板５Ｂは、開口部３の径とほぼ同じサイズの径を有する円形体であって、防水板５Ａ、５Ｃと同様、液体を通さない素材で構成される。防水板５Ｂの中心部は、長尺体１の径とほぼ同じ径で開口されている。防水板５Ａ、５Ｂ、５Ｃは、長尺体１内部の長尺体の長さ方向に対し垂直に配置される。
【００１９】
防水用流し込みシーリング材６は、防水性の素材で構成され、施工時には流し込むことができる流動体で、その後固着する部材である。防水用塗布シーリング材７は、塗布して付着させる防水性のシール部材である。なお、本実施形態では、防水板５Ａ、５Ｃ全体を覆うように付着させているが、少なくとも、防水板５Ａ、５Ｃと仕切り壁２の外表面との境界部、および防水板５Ａ、５Ｃと長尺体１の外表面との境界部を被覆するよう設ければ良い。
【００２０】
防火板８Ａ、８Ｂは、開口部３の径とほぼ同じサイズの外径を有する円形体であって、防火性の素材で構成される。防火板８Ａ、８Ｂの中心部は、長尺体１の径とほぼ同じ径で開口されている。
【００２１】
防火材９は、長尺体１内部の長尺体の長さ方向に対し垂直であって、防火板８Ａ、８Ｂのそれぞれの平面とほぼ同一平面上に配置されている。防火材９は、仕切られたほぼ中心にはケーブル４が貫通される開口穴を有する、防火性の素材である。
【００２２】
ダム材１０は、長尺体１内に流し込んだ防水用流し込みシーリング６を留めるためのものである。ダム材１０は、特に防水性や防火性が無くてもよい。
【００２３】
このような各部材のうち、区域Ａ側の防水処置としては、次のように施工する。開口部３を覆うように防水板５Ａをアンカなどにより仕切り壁２に固定・設置する。また、長尺体１内にダム材１０を固定配置した後、防水用流し込みシーリング材６を充填し、仕切り壁２と防水板５Ａの境界、防水板５Ａの外表面、所定距離分の区域Ａ側の長尺体１の外表面にわたって隙間ができないように防水用塗布シーリング材７を塗布する。
【００２４】
一方、区域Ｂ側の防水処置としては、区域Ｂ側仕切り壁２の面から開口部３の内部へ所定距離だけ離した位置に防水板５Ｂをアンカなどにより固定・設置する。また、防水板５Ｃを、防水板５Ａと同様に壁面に固定する。また、防水板５Ｂ、５Ｃ間の空間に防水用流し込みシーリング材６を充填する。他の構造は区域Ａ側の防水処置と同様に施工する。
【００２５】
防火処置については、開口部３を覆うように防火板８Ａ、８Ｂを開口部３内部に設置し、防火板８Ａ、８Ｂとほぼ同一平面上の長尺体１の内部には防火材９を充填する。
【００２６】
以上のように構成・施工された防災処置構造の作用を説明する。
【００２７】
区域Ａ側の防水処置では、開口部３を想定される水圧に耐えうる強度の防水板５Ａによって塞ぎ、防水用塗布シーリング材７で外表面を覆うため、水圧で防水板５Ａが変形することにより生じる隙間に対しても完全に塞がれた状態となる。そのため、開口部３からの浸水を防ぐことができる。また、長尺体１内部は防水用流し込みシーリング材６により閉塞されているため、長尺体１を伝わっての浸水も防ぐことができる。
【００２８】
区域Ｂ側の防水処置でも、開口部３を防水板５Ｃで塞ぐ構造であるが、区域Ａ側止水処置と同様の構造とした場合、防水板の仕切り壁２への固定が浸水に対して引張力を受ける方向となるので、防水板の変形の変異が大きくなり、仕切り壁２または長尺体１との間に大きな隙間を生じ、さらに外表面の防水用塗布シーリング材７に亀裂等が発生しやすくなるため、浸水することが考えられる。
【００２９】
そこで、二重の防水板５Ｂ、５Ｃで開口部３を塞ぎ、その間に防水用流し込みシーリング材６を充填するように構成したことで、防水板５Ｃ、５Ｂ間の防水用流し込みシーリング材６および長尺体１の外表面の防水用塗布シーリング材７の変形、変位が抑えられ、開口部３からの浸水を防ぐことができる。
【００３０】
防火処置は開口部３を防火板８Ａ、８Ｂによって閉塞し、長尺体内についても防火材９で閉塞されるため、火災の波及を防ぐことができる。
【００３１】
以上詳細に説明した本実施形態によれば、浸水および火災が重畳し、連続して二つの事象が当該防災措置構造に及んだ状況でも、隣接区域への波及を防ぐことができる。つまり、浸水?火災の順で発生した場合には、区域Ａ側の防水処置で浸水を防ぎ、その後の火災に対しては開口部３内の防火処置で波及を防ぐことができる。
【００３２】
また、火災?浸水の順で発生した場合では、区域Ａ側の防水処置は焼損するが開口部内の防火処置で火災の波及を防ぎ、その後の浸水に対しては焼損した区域Ａ側の防水処置に代わり、区域Ｂ側の防水処置で浸水を防ぐことができる。
【００３３】
以上のような本実施形態によれば、区域Ｂ側、即ち建築物内部に設置される設備等を浸水、火災から保護することができる。
【００３４】
＜第二の実施形態＞
次に第二の実施形態について説明する。なお、第一の実施形態と同一の構成部分は、同一図番を付し説明を省略する場合がある。
【００３５】
図２は、第二の実施形態に係る防災措置構造の概略図であって、（ａ）は建築物の仕切り壁２に形成された開口部３を貫通する長尺体１を備える際の構造を示す断面図であり、（ｂ）は、区域Ｂ側から矢印Ｂ方向を見た図を示している。
【００３６】
第一の実施形態と同様に、区域Ａ側からの浸水を想定し、仕切り壁２の両側に防水処置を施し、開口部３内に防火処置を施す構造としている。本実施形態で使用する部材としては、第一実施形態と同様であるが、構造において相違がある。
【００３７】
本実施形態では、防火板８Ａ、８Ｂを仕切り壁２の両側にて固定する。これに伴い、区域Ａ側では、防水板５Ａを防火板８Ａの上から覆うように設置し、仕切り壁２に固定する。一方、区域Ｂ側では、防水板５Ｂと防火板８Ｂとの間に十分な空間を取るため、防水処置のための構造物群全体が、仕切り壁２の外表面より外側（建築物の内側に）に突出するように円筒物を介して取り付けられ、防水用塗布シーリング材７で覆う。
【００３８】
本実施形態によれば、第一実施形態と同様に、浸水、火災が防災措置構造に及んだ場合でも隣接区域への波及を防ぐことができる。
【００３９】
また、第一実施形態のような防火処置を、開口部３内で施工できる作業スペースが確保できない箇所においても、区域Ａ、Ｂ側からの作業で施工することができる。そして、防火処置が仕切り壁２両側を使って既に施工されている箇所に対しても、追加で防水処置を施すことができる。
【００４０】
以上、本発明に係る各実施形態を用いて説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態は、発明の範囲や要旨に含まれると同様に、特許請求の範囲に記載された発明とその均等の範囲に含まれるものである。
【符号の説明】
【００４１】
１・・・長尺体、２・・・仕切り壁、３・・・開口部、４・・・ケーブル
５Ａ〜Ｃ・・・防水板、６・・・防水用流し込みシーリング材
７・・・防水用塗布シーリング材、８Ａ、Ｂ・・・防火板、
９・・・防火材、１０・・・ダム材。
【図１】
2016069858.tif 000003
【図２】
2016069858.tif 000004